(57)【要約】【課題】グリーン面上に載置して使用する際に、遠く離れた位置からでも容易に視認可能で、かつ点灯・消灯の操作の必要が無く、泥・水などに強いゴルフ用ボールマーカを提供する。【解決手段】ゴルフボールのあった位置の目印としてゴルフボールに替えてグリーン上に載置されるボールマーカにおいて、グリーン上での視認性を高めるための発光素子４と、発光素子４に電源を供給する太陽電池２とを有することを特徴とするボールマーカ。【選択図】図１
2012065885.tif 000002
【特許請求の範囲】
【請求項１】
ゴルフボールのあった位置の目印として前記ゴルフボールに替えてグリーン上に載置されるボールマーカにおいて、グリーン上での視認性を高めるための発光素子と、前記発光素子に電源を供給する太陽電池とを有することを特徴とするボールマーカ。
【請求項２】
請求項１に記載のボールマーカにおいて、前記発光素子は前記ボールマーカの側面に設けられていることを特徴とするボールマーカ。
【請求項３】
請求項１又は２に記載のボールマーカにおいて、前記太陽電池は前記ボールマーカの上面に設けられていることを特徴とするボールマーカ。
【請求項４】
請求項１〜３のいずれかに記載のボールマーカにおいて、前記ボールマーカは樹脂からなる本体部を有し、前記太陽電池は前記本体部に設けられていることを特徴とするボールマーカ。
【請求項５】
請求項１〜４のいずれかに記載のボールマーカにおいて、前記太陽電池は赤外光により発電を行うことを特徴とするボールマーカ。
【請求項６】
請求項１〜５のいずれかに記載のボールマーカにおいて、前記発光素子はLEDであることを特徴とするボールマーカ。
【請求項７】
請求項１〜６のいずれかに記載のボールマーカにおいて、前記ボールマーカの上面にさらにガイドを有することを特徴とするボールマーカ。
【発明の詳細な説明】
【技術分野】
【０００１】
本発明は、ゴルフのプレーにおいて、グリーン上で使用されるボールマーカに関する。
【背景技術】
【０００２】
ゴルフプレーにおいて、グリーン上でゴルフボールに替えて載置されるゴルフマーカには、コイン等の円盤状のものが使用されている。このようなゴルフマーカのグリーン上での視認性を高めるために、特許文献１に示すような地面に置かれても視認しやすい発光するボールマーカが開発されてきた。
【０００３】
しかしながら、従来の内部に電池と発光素子を備えた発光するボールマーカは、地面に置かれた時には位置が認識しやすいが、使用の前後にスイッチの操作が必要であり、消灯の操作を忘れて収納された場合には電池を無駄に消耗したり、操作部が機械式スイッチの場合には小型化しづらく、操作部から泥や水などが侵入し、水濡れによるショートや、電池の液漏れ等の問題があった。
【０００４】
特許文献２は、略円形状の一定の厚みを有するマーカーケース中に電池と発光ダイオードとスイッチとを収納するボールマーカであって、ボールマーカの自体の重量又は、ボールマーカを地面に押し込むことにより電源が入り、ボールマーカを取り上げると、電源が切れるよう構成されたボールマーカを開示しています。しかし、グリーン上に重量又は押し込むことにより電源のスイッチを切り替えるためには、ボールマーカがある程度の重量を有する必要があり、かつ持ち運び中に衝撃でスイッチは入ってしまう怖れがあるため、発光ダイオードを点灯させずに持ち運ぶのが難しい。
【０００５】
特許文献３は、不使用時にホルダに装着された状態で携帯し、ホルダへの装着時には電池から発光素子への電源供給が遮断される発光素子付ボールマーカを開示しています。この場合、ボールマーカを装着するためのホルダを一緒に携帯する必要がある上に、電池切れや電池の液漏れ等の問題がある。
【先行技術文献】
【特許文献】
【０００６】
【特許文献１】特開2005-312870号公報
【特許文献２】特開2009-240712号公報
【特許文献３】特開2009-247520号公報
【発明の概要】
【発明が解決しようとする課題】
【０００７】
従って、本発明の目的は、グリーン面上に載置して使用する際に、遠く離れた位置からでも容易に視認可能で、かつ点灯・消灯の操作の必要が無く、泥・水などに強いゴルフ用ボールマーカを提供することである。
【課題を解決するための手段】
【０００８】
上記目的に鑑み鋭意研究の結果、本発明者は、ボールマーカにグリーン上での視認性を高めるための発光素子と、発光素子に電源を供給する太陽電池とを設けることにより、グリーン面上に載置して使用する際に、遠く離れた位置からでも容易に視認可能で、かつ点灯・消灯の操作の必要が無く、泥・水などに強いゴルフ用ボールマーカが得られることを見出し、本発明に想到した。
【０００９】
すなわち、本発明のボールマーカは、グリーン上での視認性を高めるための発光素子と、前記発光素子に電源を供給する太陽電池とを有することを特徴とする。
【００１０】
発光素子はボールマーカの側面に設けられているのが好ましく、太陽電池は前記ボールマーカの上面に設けられているのが好ましい。
【００１１】
ボールマーカは樹脂からなる本体部を有し、太陽電池は本体部に設けられているのが好ましい。
【００１２】
太陽電池は赤外光により発電を行うのが好ましく、発光素子はLEDであるのが好ましい。
【００１３】
ボールマーカの上面にさらにガイドを有するのが好ましい。
【発明の効果】
【００１４】
本発明のボールマーカは、グリーン面上に載置して使用する際に、遠く離れた位置からでも容易に視認可能で、かつ点灯・消灯の操作の必要が無く、泥・水などに強い。
【図面の簡単な説明】
【００１５】
【図１】本発明の一実施例によるボールマーカを示す図である。
【図２】ボールマーカの使用状態の一例を示す図である。
【発明を実施するための形態】
【００１６】
図１は本発明の一実施例によるボールマーカ１を示す。ボールマーカ１は本体部11とその側面及び底面に一体的に設けられた筺体12とを有し、筺体12の側面は、対向する一対の平側面部、凹側面部及び凸側面部からなる。本体部11の上面に太陽電池２及びガイド３が設けられ、筺体12の凸側面部に発光素子４が設けられている。
【００１７】
複数の太陽電池２は発光素子４と本体部11内部の配線（図示せず）を介して接続している。ボールマーカ１を取り出してグリーン面上に載置すると、ボールマーカ１の上面に設けられた太陽電池２で発電された電力が発光素子４に供給され、発光素子４が発光する。このように発光素子４の電源として太陽電池２を用いることにより、ボールマーカ１をグリーン面上に載置するだけで発光素子４が点灯する。また移動中はボールマーカ１をしまっておけば、発光素子４は消灯しているため、点灯・消灯の操作の必要が無い。そのため、ボールマーカ１に発光素子４の点灯・消灯のための操作部を設ける必要がなく、操作部からの水濡れによるショートも生じない。また電池切れや電池の液漏れの心配がなく、電池交換も不要である。
【００１８】
太陽電池２は光起電力効果を利用し、光エネルギーを直接電力に変換するものであれば特に限定されないが、赤外光を光源として発電可能なものが好ましい。それにより曇りや雨天のときでも太陽電池２が発電されるため、曇りや雨天のときでも使用することができる。
【００１９】
発光素子４はグリーン面上に載置した状態で視認可能なものであれば特に限定されないが、消費電力が小さく寿命の長いLEDであるのが好ましい。
【００２０】
本体部11は樹脂製であるのが好ましい。樹脂からなる本体部11により太陽電池２のまわりを封止することにより、水濡れによるショートが生じるのを防止することができる。また筺体12は樹脂製又は金属製で良い。
【００２１】
ボールマーカ１をグリーン面上に載置する際、ボールマーカ１の凸側面部をカップに向けて載置するのが望ましい。それにより、図２に示すように、プレーヤーがカップ側からラインを読む際に、ボールマーカ１の凸側面部に設けられた発光素子４により、ボールマーカ１の載置位置をカップ側から容易に認識することができる。
【００２２】
ボールマーカ１の上面に設けられたガイド３は、ボールマーカ１をグリーン面上に載置する際にカップに目標を合わせ易くする役割を果たす。図１に示すように、ボールマーカ１の上面の両側に複数の平行線からなるガイド３を設けることにより、ガイド３の延長線上にカップがくるようにボールマーカ１を配置し、ボールマーカ１の発光素子４が設けられている側面側を容易にカップに向けることができる。
【００２３】
本発明のボールマーカの形状は図１に示すものに限らず、例えばコイン状のものでも良い。本発明のボールマーカは、図１に示す実施例に限定されず、本発明の思想の範囲内であれば種々のものを採用することができる。
【符号の説明】
【００２４】
１・・・ボールマーカ
11・・・本体部
12・・・筺体
２・・・太陽電池
３・・・ガイド
４・・・発光素子
【図１】
2012065885.tif 000003
【図２】
2012065885.tif 000004